(57)【特許請求の範囲】
【請求項１】
電気掃除機本体に着脱可能に装着される集塵ケースであって、
前記集塵ケースは、取手が設けられる下部ケースと、前記電気掃除機本体と連通する吸・排気口を独立して形成する上部ケースを有し、前記下部ケースに対して前記上部ケースを回動させる操作部を前記取手の上部近傍に位置させて前記上部ケースに設け、前記上部ケースと下部ケースとの当接ラインを前記集塵ケースの周壁から底壁に跨って形成したことを特徴とする集塵ケース。
【請求項２】
前記当接ラインを前記取手の近傍上部から斜め下方の略対角線状に形成したことを特徴とする請求項１に記載の集塵ケース。
【請求項３】
前記当接ラインを前記取手の近傍上部から中途部までを略水平とした後に下方に向けて略垂直としたことを特徴とする請求項１に記載の集塵ケース。
【請求項４】
前記上部ケース若しくは前記下部ケースの少なくとも一方に前記当接ラインに沿うパッキンを設けたことを特徴とする請求項１乃至請求項３の何れかに記載の集塵ケース。
【請求項５】
請求項１乃至請求項４の集塵ケースを用いたことを特徴とする電気掃除機。
【発明の詳細な説明】
【０００１】
【発明の属する技術分野】
本発明は、電気掃除機本体に着脱可能に装着される集塵ケースおよび電気掃除機に関する。
【０００２】
【従来の技術】
従来、例えば、図７（Ａ）に示すように、電気掃除機本体１に着脱可能に装着された集塵ケース２が知られている。
【０００３】
電気掃除機本体１は、前方にホース（図示せず）が接続される接続口３と、電気掃除機本体１を横向き状態（図示の状態）で移動等をする際に握持される取手部４と、電動送風機（図示せず）を内装した本体部５と、取手部４に設けられたロック４ａを解除した状態で回動操作することによって本体部５を開放するカバー部６と、前輪７及び後輪８とを備えている。
【０００４】
集塵ケース２は、本体部５の外部に一部が露出した状態で本体部５とカバー部６とで上下方向から挟持されている。また、集塵ケース２は、図７（Ｂ）に示すように、有底円筒形状のケース本体９と、ケース本体９の上面開口９ａを閉成する蓋体１０とを備えている。
【０００５】
ケース本体９は、樹脂等の一体成形品であり、上面開口９ａの縁部から下方に向かう取手９ｂが一体に形成されている。この取手９ｂの上面には凹陥部９ｃが形成されている。
【０００６】
蓋体１０には、接続口３と連通する吸気口１０ａと、本体部５の内部と連通する排気口１０ｂとが形成されている。この排気口１０ｂはシート状のフィルター１０ｃに覆われている。また、蓋体１０には、凹陥部９ｃに位置する舌片１０ｄが突出形成されている。この舌片１０ｄの先端部は上向き傾斜されている。さらに、蓋体１０の裏面には、図８に示すように、筒状フィルター１０ｅが設けられている。
【０００７】
このような集塵ケース２にあっては、接続口３にホース等を接続した状態で電動送風機を駆動させると、そのホース側から接続口３を経由した塵埃等を含んだ吸込風が吸気口１０ａから流入し、ケース本体内でうず流が形成され、この際塵埃は落下してケース本体９の内部へと収容される。
【０００８】
この際、うず流で分離されなかった細かい塵埃等は各フィルター１０ｃ，１０ｅに吸着し、排気口１０ｂからは吸込風のみが排気される。
【０００９】
また、集塵ケース２は、本体部５とカバー部６とに挟持されることから、カバー部６を開閉するだけで取手９ｂを握持しての着脱操作ができる。
【００１０】
また、図８（Ａ）に示すように、蓋体１０はケース本体９に単に乗せるだけで良く、図８（Ｂ）に示すように、舌片１０ｄの先端部を下方に押し下げることによって上面開口９ａが開放してケース本体９内に収容されたごみを捨てることができる。
【００１１】
さらに、蓋体１０をケース本体９から外せば、各フィルター１０ｃ，１０ｅに付着した塵埃等の除去や筒状フィルター１０ｅの交換等のクリーニングやメンテナンスを容易に行うことができる。
【００１２】
【発明が解決しようとする課題】
ところで、上記の如く構成された集塵ケース２にあっては、図８（Ｂ）に示すように、舌片１０ｄの先端部を下方に押し下げて上面開口９ａを開放してケース本体９内に収容されたごみを捨てる際、ケース本体の上面のみしか開放されないためごみ捨てを容易に行うことができず、ケース本体をひっくり返さないとごみを捨てることができず、手間を要するという問題があった。
【００１３】
本発明は、上記問題を解決するため、細かい塵埃を捕捉する筒状のフィルターを設けても収容したごみを容易に捨てることができる上、ごみ捨ての手間を簡素化することができる集塵ケースを提供することを目的とする。
【００１４】
【課題を解決するための手段】
その目的を達成するため、請求項１に記載の集塵ケースは、電気掃除機本体に着脱可能に装着される集塵ケースであって、前記集塵ケースは、取手が設けられる下部ケースと、前記電気掃除機本体と連通する吸・排気口を独立して形成する上部ケースを有し、前記下部ケースに対して前記上部ケースを回動させる操作部を前記取手の上部近傍に位置させて前記上部ケースに設け、前記上部ケースと下部ケースとの当接ラインを前記集塵ケースの周壁から底壁に跨って形成したことを要旨とする。
【００１５】
請求項２に記載の集塵ケースは、前記当接ラインを前記取手の近傍上部から斜め下方の略対角線状に形成したことを要旨とする。
【００１６】
請求項３に記載の集塵ケースは、前記当接ラインを前記取手の近傍上部から中途部までを略水平とした後に下方に向けて略垂直としたことを要旨とする。
【００１７】
請求項４に記載の集塵ケースは、前記上部ケース若しくは前記下部ケースの少なくとも一方に前記当接ラインに沿うパッキンを設けたことを要旨とする。
【００１８】
請求項５に記載の電気掃除機は、請求項１乃至請求項４の集塵ケースを用いたことを要旨とする。
【００１９】
【発明の実施の形態】
次に、本発明の集塵ケースの実施の形態を図面に基づいて説明する。
【００２０】
図４において、１１は電気掃除機本体である。この電気掃除機本体１１は、集塵ケース１２と、前方にホース（図示せず）が接続される接続口３と、電気掃除機本体１１を横向き状態（図示の状態）で移動等をする際に握持される取手部４と、電動送風機（図示せず）を内装した本体部５と、取手部４に設けられたロック４ａを解除した状態で回動操作することによって本体部５を開放するカバー部６と、前輪７及び後輪８とを備えている。
【００２１】
集塵ケース１２は、本体部５の外部に一部が露出した状態で本体部５とカバー部６とで上下方向から挟持されている。また、集塵ケース１２は、図１，図２に示すように、下部ケース１３と上部ケース１４とを有している。
【００２２】
下部ケース１３は、底壁１３ａと、この底壁１３ａの一部を除いた周囲から立ち上げれられた周壁１３ｂと、周壁１３ｂの最上部位から突出する取手１３ｃとを備えている。また、底壁１３ａと周壁１３ｂの縁部とにはパッキン１５が設けられている。
【００２３】
取手１３ｃには、図３に示すように、その上面に開放する凹部１３ｄと、軸係合孔１３ｅとが形成されている。
【００２４】
上部ケース１４は、蓋体部１４ａと、蓋体部１４ａの周囲から立ち下げられた周壁１４ｂと、周壁１４ｂの最下部位に設けられた底壁１４ｃとを備えている。従って、周壁１４ｂは周壁１３ｂと協働して円筒形状をなし、底壁１４ｃは底壁１３ａと協働して略真円形状をなすように、各ケース１３，１４による分割ラインを形成している。すなわち、各ケース１３，１４は互いに回動可能でかつ接離自在であって、上記分割ラインとは、各ケース１３，１４が当接する当接ラインを意味している。
【００２５】
蓋体部１４ａは、接続口３と連通する吸気口１４ｄと、本体部５の内部と連通する排気口１４ｅとが形成されている。この排気口１４ｅはシート状のフィルター１４ｆに覆われている。また、蓋体部１４ａには、凹陥部１３ｄに位置し、下部ケース１３に対して上部ケース１４を回動させるための操作部である舌片１４ｇが突出形成されている。この舌片１４ｇは取手１３ｃ近傍に位置し、その先端部は上向き傾斜されている。また、舌片１４ｇには軸係合孔１３ｅに係合する軸１４ｈが突出形成されている。さらに、蓋体部１４ａの裏面には筒状フィルター（図示せず）が設けられている。この筒状フィルターは従来技術で説明した筒状フィルター１０ｅと同一である。
【００２６】
このような集塵ケース１２にあっては、接続口３にホース等を接続した状態で電動送風機を駆動させると、そのホース側から接続口３を経由した塵埃等を含んだ吸込風が吸気口１４ｄから流入し、ケース本体内でうず流が形成され、この際塵埃は落下して集塵ケース１２の内部へと収容される。
【００２７】
この際、うず流で分離されなかった細かい塵埃等はフィルター１４ｆ及び筒状フィルター（図示せず）に吸着し、排気口１４ｅからは吸込風のみが排気される。
【００２８】
また、集塵ケース１２は、本体部５とカバー部６とに挟持されることから、カバー部６を開閉するだけで取手１３ｃを握持しての着脱操作ができる。
【００２９】
また、図３に示すように、上部ケース１４は軸１４ｈを軸係合孔１３ｅに係合するだけで下部ケース１３に回動可能に保持され、図１（Ｂ）に示すように、舌片１４ｇの先端部を下方に押し下げることによって分割ラインを境界として各ケース１３，１４が開いて開口１６が形成され、この開口１６から集塵ケース１２内に収容されたごみを捨てることができる。
【００３０】
この際、ゴミ捨て用開口１６が集塵ケースの上部から下部にわたって形成されるため、集塵ケース１２は逆向きに引っくり返すことなくやや傾斜させるだけで開口１６が下向きとなり、しかも、底壁１４ｃが存在していた部位に対応する底壁１３ａ並びに周壁１３ｂに開放部位が存在することと相俟って、筒状フィルター（図示せず）の下方に形成された開口１６からこの筒状フィルターに邪魔されることなく容易にごみ捨て処理を行うことができる。尚、図１（Ｂ）では、上ケース１４側は説明の便宜上、蓋体部１４ａを水平にした状態で図示しているが、実際には、開口１６を略下向きとすることによって、各底壁１３ａ，１４ｃが上方に向けて拡開する方向、即ち、各底壁１３ａ，１４ｃ上に堆積した塵埃等が開口１６に向かって滑り落ちるようになる。
【００３１】
また、両ケース１３，１４の一方に取手を、他方に取手の近傍に位置する操作部である舌片を設けたので、取手を持ちながら舌片１４ｇを操作するだけでごみ捨てが行えるため、操作性が良好である。
【００３２】
また、開口１６の開口面積を広く確保することができ、フィルター１４ｆや筒状フィルター（図示せず）を上部ケース１４から取り外せる蓋を設けなくても、これらに付着した塵埃等の除去や筒状フィルターの交換等のクリーニングやメンテナンスも容易に行うことができる。
【００３３】
しかも集塵ケース１２の内部に設けられた筒状フィルターの下方に開口１６が形成されるため、ごみ捨ての際筒状フィルターが邪魔になることもない。
【００３４】
ところで、上記実施の形態では、上下ケース１３，１４の分割ラインを、取手１３ｃの近傍上部から斜め下方の略対角線状に形成したが、集塵フィルター１２の底壁並びに周壁を各ケース１３，１４の協働により形成される分割ラインであれば、特にその形状等は限定されるものではない。
【００３５】
図５，図６は、このような他の分割ラインを有する集塵ケース２２を示す。図において、集塵ケース２２は、下部ケース２３と上部ケース２４とを有している。
【００３６】
下部ケース２３は、略半円状の底壁２３ａと、この底壁２３ａの底辺に相当する部位を除いた周囲から立ち上げれられた半円筒形状の周壁２３ｂと、この周壁２３ｂの最上部位から突出する取手２３ｃとを備えている。また、底壁２３ａと周壁２３ｂの縁部とにはパッキン１５が設けられている。
【００３７】
取手２３ｃには、その上面に開放する凹部２３ｄと、軸係合孔２３ｅとが形成されている。
【００３８】
上部ケース２４は、蓋体部２４ａと、蓋体部２４ａの周囲から立ち上げられた半円筒形状の周壁２４ｂと、周壁２４ｂの最下部位に設けられた略半円形状の底壁２４ｃとを備えている。従って、周壁２４ｂは周壁２３ｂと協働して円筒形状をなし、底壁２４ｃは底壁２３ａと協働して略真円形状をなすように、各ケース２３，２４による分割ラインを形成している。すなわち各ケース２３，２４は互いに回動可能でかつ接離自在であって、上記分割ラインとは、各ケース２３，２４が当接する当接ラインを意味している。
【００３９】
蓋体部２４ａは、接続口３と連通する吸気口２４ｄと、本体部５の内部と連通する排気口２４ｅとが形成されている。この排気口２４ｅはシート状のフィルター２４ｆに覆われている。また、蓋体部２４ａには、凹陥部２３ｄに位置し、下部ケース２３に対して上部ケース２４を回動させるための操作部である舌片２４ｇが突出形成されている。この舌片２４ｇは取手部４近傍に位置し、その先端部は上向き傾斜されている。また、舌片２４ｇには軸係合孔２３ｅに係合する軸２４ｈが突出形成されている。さらに、蓋体部２４ａの裏面には筒状フィルター（図示せず）が設けられている。この筒状フィルターは従来技術で説明した筒状フィルター１０ｅと同一である。
【００４０】
集塵ケース２２は、図５（Ｂ）に示すように、舌片２４ｇの先端部を下方に押し下げることによって分割ラインを境界として各ケース２３，２４が開いて開口１６が形成され、この開口１６から集塵ケース２２内に収容されたごみを捨てることができる。
【００４１】
この際、ごみ捨て用開口２６が集塵ケースの上部から下部にわたって形成されるため集塵ケース２２は、逆向きに引っくり返すことなくやや傾斜させるだけで開口２６が下向きとなり、しかも、底壁２４ｃが存在していた部位に対応する底壁２３ａ並びに周壁２３ｂに開放部位が存在することと相俟って、筒状フィルター（図示せず）の下方に形成された開口２６からこの筒状フィルターに邪魔されることなく容易にごみ捨て処理を行うことができる。尚、図５（Ｂ）では、上ケース２４側は説明の便宜上、蓋体部２４ａを水平にした状態で図示しているが、実際には、開口２６を略下向きとすることによって、各底壁２３ａ，２４ｃが上方に向けて拡開する方向、即ち、各底壁２３ａ，２４ｃ上に堆積した塵埃等が開口１６に向かって滑り落ちるようになる。
【００４２】
また、両ケース２３，２４の一方に取手を他方に取手の近傍に位置する操作部である舌片を設けたので、取手を持ちながら舌片２４ｇを操作するだけで、ごみ捨てが行えるため、操作性が良好である。
【００４３】
また、開口２６の開口面積を広く確保することができ、フィルター２４ｆや筒状フィルター（図示せず）を上部ケース２４から取り外せる蓋を設けなくても、これらに付着した塵埃等の除去や筒状フィルターの交換等のクリーニングやメンテナンスも容易に行うことができる。
【００４４】
しかも集塵ケース２２の内部に設けられた筒状フィルターの下方に開口２６が形成されるため、ごみ捨ての際筒状フィルタが邪魔になることもない。
【００４５】
このように、分割ラインを取手２３ｃの近傍上部から中途部までを略水平とした後に下方に向けて略垂直とし、集塵ケース２２の周壁並びに底壁を略半割とすることも可能である。
【００４６】
【発明の効果】
以上説明したように、請求項１に記載の集塵ケースにあっては、電気掃除機本体に着脱可能に装着される集塵ケースであって、前記集塵ケースは、取手が設けられる下部ケースと、前記電気掃除機本体と連通する吸・排気口を独立して形成する上部ケースを有し、前記下部ケースに対して前記上部ケースを回動させる操作部を前記取手の上部近傍に位置させて前記上部ケースに設け、前記上部ケースと下部ケースとの当接ラインを前記集塵ケースの周壁から底壁に跨って形成したことにより、細かい塵埃を捕捉する筒状のフィルターを設けても収容したごみを容易に捨てることができる上、ごみ捨ての手間を簡素化することができる。
【図面の簡単な説明】
【図１】本発明の実施の形態に係わる集塵ケースを示し、（Ａ）は集塵ケースの斜視図、（Ｂ）は集塵ケースを開いた状態の斜視図である。
【図２】同じく、集塵ケースの側面図である。
【図３】同じく、集塵ケースの要部の拡大斜視図である。
【図４】同じく、電気掃除機の斜視図である。
【図５】本発明の実施の形態に係わる集塵ケースの変形例を示し、（Ａ）は集塵ケースの斜視図、（Ｂ）は集塵ケースを開いた状態の斜視図である。
【図６】同じく、集塵ケースの側面図である。
【図７】従来の集塵ケースを示し、（Ａ）は電気掃除機の斜視図、（Ｂ）は集塵ケースの分解斜視図である。
【図８】同じく、（Ａ）は蓋体で上部開口を閉成した状態の要部の断面図、（Ｂ）は蓋体で上部開口を開放した状態の要部の断面図である。
【符号の説明】
１２…集塵ケース
１３…下部ケース
１３ａ…底壁（集塵ケースの底壁）
１３ｂ…周壁（集塵ケースの周壁）
１３ｃ…取手
１４…上部ケース
１４ａ…蓋体部（蓋体）
１４ｂ…周壁（集塵ケースの周壁）
１４ｃ…底壁（集塵ケースの底壁）
１４ｇ…舌片（操作部）
１５…パッキン
【図１】
0003926582.tif 000002
【図２】
0003926582.tif 000003
【図３】
0003926582.tif 000004
【図４】
0003926582.tif 000005
【図５】
0003926582.tif 000006
【図６】
0003926582.tif 000007
【図７】
0003926582.tif 000008
【図８】
0003926582.tif 000009